(57)【要約】      （修正有）【課題】パイプクランプを長時間使用した後、ファスナーセットを解放状態とする時にノッチが適切な大きさに戻れるパイプクランプ構造を提供する。【解決手段】パイプクランプ構造は、物品に套設するためのパイプクランプであって、内部に収容部を有し、外部にノッチ１１４を有し、ノッチは、収容部に接続され、両側にそれぞれ縦方向に第１延伸部１１５が設けられ、第１延伸部は、第１開口に近い位置に第１接続面１１５１を有し、第１接続面は、第１延伸部及び第１開口にそれぞれ接続され、かつノッチに交差する第１フィルム線１１５２を有する本体１１と、第１延伸部に設けられる第１ファスナーセット１２とを含み、第１ファスナーセットをロック状態とすると、第１延伸部が互いに接近し、第１接続面が第１フィルム線に沿って破裂し、第１延伸部によって第１接続面が押されて隆起する。第１ファスナーセットを解放状態とすると、第１接続面によって第１延伸部が押し開かれて互いに分離され、第１接続面が平らに戻る。【選択図】図２Ａ
0003230414.tif 000002
【実用新案登録請求の範囲】
【請求項１】
物品に套設するためのパイプクランプであって、
第１端及び第２端を有し、内部に収容部を有し、外部にノッチを有し、前記収容部は、前記第１端及び前記第２端にそれぞれ第１開口及び第２開口を有し、前記ノッチは、前記収容部に接続され、両端がそれぞれ前記第１開口及び前記第２開口まで延び、かつ両側にそれぞれ縦方向に第１延伸部が設けられ、前記第１延伸部は、前記第１開口に近い位置に第１接続面を有し、前記第１接続面は、２つの前記第１延伸部及び前記第１開口にそれぞれ接続され、かつ前記ノッチに交差する第１フィルム線を有する本体と、
それぞれ前記第１延伸部に設けられる第１ファスナーセットと、を含み、
前記物品を前記収容部に入れて、前記第１ファスナーセットをロック状態とすると、前記ノッチが小さくなり、２つの前記第１延伸部が互いに接近し、かつ前記第１接続面が前記第１フィルム線に沿って破裂し、前記第１延伸部によって前記第１接続面が押されて隆起し、
また、前記第１ファスナーセットを解放状態とすると、前記第１接続面によって２つの前記第１延伸部が押し開かれて互いに分離され、前記ノッチが大きくなり、前記第１接続面が平らに戻ることを特徴とする、パイプクランプ構造。
【請求項２】
前記ノッチは、前記第２端に維持部が設けられ、
前記維持部は、両側がそれぞれ前記本体に接続され、その一側に第２フィルム線が設けられることを特徴とする、請求項１に記載のパイプクランプ構造。
【請求項３】
３本の脚パイプを有し、
前記本体の外部には、それぞれ縦方向に第２延伸部及び第３延伸部が設けられ、
前記第２延伸部は、前記第１開口に近い位置に第２接続面を有し、前記第２接続面は、２つの前記第２延伸部及び前記第１開口にそれぞれ接続され、
前記第３延伸部は、前記第１開口に近い位置に第３接続面を有し、前記第３接続面は、２つの前記第３延伸部及び前記第１開口にそれぞれ接続され、
前記第２延伸部及び前記第３延伸部には、それぞれ第２ファスナーセット及び第３ファスナーセットが設けられ、
各前記脚パイプの一端は、それぞれ、前記第１ファスナーセット、第２ファスナーセット及び第３ファスナーセットによってピボット回転可能に２つの前記第１延伸部の間、２つの第２延伸部の間、及び２つの第３延伸部の間に設けられることを特徴とする、請求項１に記載のパイプクランプ構造。
【請求項４】
前記第１延伸部には、第４ファスナーセットが設けられ、
前記収容部は、隣接する上部と下部を有し、
前記上部は、前記第１開口に接続され、前記下部は、前記第２開口に接続され、かつ前記上部の直径は前記下部の直径より小さく、
前記物品は、内管と外管とからなるものであり、前記内管の管径は前記外管の管径より小さく、
前記外管を前記第２開口から前記下部に入れて、前記第４ファスナーセットをロック状態とすると、前記ノッチが小さくなり、前記本体及び前記外管が互いに固定され、
また、前記内管を前記第１開口から前記上部に挿入して前記外管内に収容し、前記第１ファスナーセットを解放状態とすると、前記内管及び前記外管が互いに摺動可能となり、かつ、前記第１ファスナーセットをロック状態とすると、前記内管及び前記本体が互いに固定されることを特徴とする、請求項１に記載のパイプクランプ構造。
【考案の詳細な説明】
【技術分野】
【０００１】
本考案は、パイプクランプ構造に関し、特に、接続面を有するパイプクランプ構造に関する。
【背景技術】
【０００２】
従来のパイプクランプは、ノッチとファスナーとを有し、ファスナーによってノッチの大きさを制御することで、パイプクランプと物品との解放状態又は挟持状態を制御する。
【０００３】
従来のパイプクランプの問題としては、パイプクランプを常に挟持状態にした場合に、ファスナーを解放すると、パイプクランプの弾力が足りなく、ノッチが大きくなれない可能性がある。その結果、挟持される物品とパイプクランプとの間の摺動を円滑にすることができない。従来の改善策としては、ノッチの位置に１つのバネを設けることにより、ファスナーを解放状態とする時に、バネの弾力によってノッチが広がる。しかしながら、バネの弾力が弱く、又はバネの装着を忘れた場合には、ファスナーを解放状態とする時に、ノッチが適切な大きさに戻れない。
【考案の概要】
【考案が解決しようとする課題】
【０００４】
パイプクランプを長時間使用した後、ファスナーセットを解放状態とする時にノッチが適切な大きさに戻れない課題を解決するために、本考案は、ノッチ及び第１延伸部に、第１フィルム線を有する第１接続面が形成される。これにより、第１ファスナーセットをロック状態とすると、ノッチが小さくなり、２つの第１延伸部が互いに接近し、第１接続面が第１フィルム線に沿って破裂し、前記第１延伸部によって第１接続面が押されて隆起する。また、第１ファスナーセットを解放状態とすると、第１接続面によって２つの第１延伸部が押し開かれて互いに分離され、ノッチが大きくなり、第１接続面が平らに戻る。
【課題を解決するための手段】
【０００５】
本考案のパイプクランプ構造は、物品に套設するためのパイプクランプであって、第１端及び第２端を有し、内部に収容部を有し、外部の適切な箇所にノッチを有し、前記収容部は、前記第１端及び前記第２端にそれぞれ第１開口及び第２開口を有し、前記ノッチは、前記収容部に接続され、両端がそれぞれ前記第１開口及び前記第２開口まで延び、かつ両側の適切な箇所にそれぞれ縦方向に第１延伸部が設けられ、前記第１延伸部は、前記第１開口に近い位置に第１接続面を有し、前記第１接続面は、２つの前記第１延伸部及び前記第１開口にそれぞれ接続され、かつ前記ノッチに交差する第１フィルム線を有する本体と、それぞれ前記第１延伸部に設けられる第１ファスナーセットとを含み、前記物品を前記収容部に入れて、前記第１ファスナーセットをロック状態とすると、前記ノッチが小さくなり、２つの前記第１延伸部が互いに接近し、かつ前記第１接続面が前記第１フィルム線に沿って破裂し、前記第１延伸部によって前記第１接続面が押されて隆起し、また、前記第１ファスナーセットを解放状態とすると、前記第１接続面によって２つの前記第１延伸部が押し開かれて互いに分離され、前記ノッチが大きくなり、前記第１接続面が平らに戻る。
【０００６】
好ましくは、前記ノッチは、前記第２端の適切な箇所に維持部が設けられ、前記維持部は、両側がそれぞれ前記本体に接続され、その一側に第２フィルム線が設けられる。
【０００７】
好ましくは、３本の脚パイプを有し、前記本体の外部の適切な箇所には、それぞれ縦方向に第２延伸部及び第３延伸部が設けられ、前記第２延伸部は、前記第１開口に近い位置に第２接続面を有し、前記第２接続面は、２つの前記第２延伸部及び前記第１開口にそれぞれ接続され、前記第３延伸部は、前記第１開口に近い位置に第３接続面を有し、前記第３接続面は、２つの前記第３延伸部及び前記第１開口にそれぞれ接続され、前記第２延伸部及び前記第３延伸部には、それぞれ第２ファスナーセット及び第３ファスナーセットが設けられ、各前記脚パイプの一端は、それぞれ、前記第１ファスナーセット、第２ファスナーセット及び第３ファスナーセットによってピボット回転可能に２つの前記第１延伸部の間、２つの第２延伸部の間、及び２つの第３延伸部の間に設けられる。
【０００８】
好ましくは、前記第１延伸部には、第４ファスナーセットが設けられ、前記収容部は、隣接する上部と下部を有し、前記上部は、前記第１開口に接続され、前記下部は、前記第２開口に接続され、かつ前記上部の直径は前記下部の直径より小さく、前記物品は、内管と外管とからなるものであり、前記内管の管径は前記外管の管径より小さく、前記外管を前記第２開口から前記下部に入れて、前記第４ファスナーセットをロック状態とすると、前記ノッチが小さくなり、前記本体及び前記外管が互いに固定され、また、前記内管を前記第１開口から前記上部に挿入して前記外管内に収容し、前記第１ファスナーセットを解放状態とすると、前記内管及び前記外管が互いに摺動可能となり、かつ、前記第１ファスナーセットをロック状態とすると、前記内管及び前記本体が互いに固定される。
【考案の効果】
【０００９】
本考案によれば、前記第１接続面自身の弾力によって前記第１延伸部を互いに分離させ、前記ノッチを大きくすることで、前記物品と前記パイプクランプとが互いに固定され、及び互いに摺動するという問題を有効的に解決することができる。
【図面の簡単な説明】
【００１０】
【図１Ａ】図１Ａは、本考案の実施例１における第１ファスナーセットの解放状態の一端側を示す平面図である。
【図１Ｂ】図１Ｂは、本考案の実施例１における第１ファスナーセットの解放状態の他端側を示す平面図である。
【図２Ａ】図２Ａは、本考案の実施例１における第１ファスナーセットのロック状態の一端側を示す平面図である。
【図２Ｂ】図２Ｂは、本考案の実施例１における第１ファスナーセットのロック状態の他端側を示す平面図である。
【図２Ｃ】図２Ｃは、本考案の実施例１における第１ファスナーセットのロック状態を示す組立図である。
【図３】図３は、本考案の実施例２における第１ファスナーセットの解放状態の他端側を示す平面図である。
【図４】図４は、本考案の実施例２における第１ファスナーセットのロック状態を示す組立図である。
【図５Ａ】図５Ａは、本考案の実施例３における第１ファスナーセットの解放状態の一端側を示す平面図である。
【図５Ｂ】図５Ｂは、本考案の実施例３における第１ファスナーセットの解放状態の他端側を示す平面図である。
【図６Ａ】図６Ａは、本考案の実施例３における第１ファスナーセットのロック状態の他端側を示す平面図である。
【図６Ｂ】図６Ｂは、本考案の実施例３における第１ファスナーセットのロック状態を示す組立図である。
【図６Ｃ】図６Ｃは、本考案の実施例３における第１ファスナーセットのロック状態を示す部分組立図である。
【図７Ａ】図７Ａは、本考案の実施例４における第１ファスナーセットの解放状態の他端側を示す平面図である。
【図７Ｂ】図７Ｂは、本考案の実施例４における第１ファスナーセットの解放状態の一端側を示す平面図である。
【図８】図８は、本考案の実施例４における第１ファスナーセットのロック状態を示す組立図である。
【考案を実施するための形態】
【００１１】
以下、図１Ａ〜図８を参照しながら、本考案の実施形態について詳しく説明する。以下に説明する実施形態は、本考案の実施例の一つに過ぎず、本考案は以下の実施形態に限定されるものではない。
【００１２】
図１Ａ〜図２Ｃに示すように、本考案の実施例１に係るパイプクランプ１は、物品２に套設するためのものであり、かつ、図１Ａ及び図１Ｂに示すように、本体１１と、第１ファスナーセット１２とを含む。
【００１３】
前記本体１１は、第１端１１１及び第２端１１２を有し、内部に収容部１１３を有し、外部の適切な箇所に前記収容部１１３に接続されるノッチ１１４を有する。前記収容部１１３は、前記第１端１１１及び前記第２端１１２にそれぞれ第１開口１１３３及び第２開口１１３４を有し、前記ノッチ１１４は、両端がそれぞれ前記第１開口１１３３及び前記第２開口１１３４まで延び、かつ両側の適切な箇所にそれぞれ縦方向に第１延伸部１１５が設けられる。前記第１延伸部１１５は、前記第１開口１１３３に近い位置に第１接続面１１５１を有し、前記第１接続面１１５１は、２つの前記第１延伸部１１５及び前記第１開口１１３３にそれぞれ接続され、かつ前記ノッチ１１４に交差する第１フィルム線１１５２を有する。第１ファスナーセット１２は、それぞれ前記第１延伸部１１５に設けられる。
【００１４】
図２Ａ〜図２Ｃに示すように、前記物品２を前記収容部１１３に入れて、前記第１ファスナーセット１２をロック状態とすると、前記ノッチ１１４が小さくなり、２つの前記第１延伸部１１５が互いに接近し、かつ前記第１接続面１１５１が前記第１フィルム線１１５２に沿って破裂し、前記第１延伸部１１５によって前記第１接続面１１５１が押されて隆起する。また、前記第１ファスナーセット１２を解放状態とすると、前記第１接続面１１５１によって２つの前記第１延伸部１１５が押し開かれて互いに分離され、前記ノッチ１１４が大きくなり、前記第１接続面１１５１が平らに戻る。
【００１５】
本考案は、前記第１接続面１１５１の支持により、生産工程において、前記第１ファスナーセット１２を初めてロックするまで前記第１開口１１３３を適切な大きさに維持し、その後、前記第１フィルム線１１５２が破裂し始める。また、前記第１開口１１３３の大きさは、前記第１ファスナーセット１２によって調整することができる。
【００１６】
図３及び図４に示すように、実施例２では、前記ノッチ１１４は、前記第２端１１２の適切な箇所に維持部１１４１が設けられる。前記維持部１１４１は、両側がそれぞれ前記本体１１に接続され、その一側に第２フィルム線１１４２が設けられる。図４に示すように、前記第１ファスナーセット１２をロックすると、前記第１延伸部１１５が押され、前記ノッチ１１４が小さくなり、前記第２フィルム線１１４２が破裂する。本実施例によれば、生産工程においては、前記第１ファスナーセット１２を初めてロックするまで前記本体１１の前記第２開口１１３４を適切な大きさに維持し、その後、前記第２フィルム線１１４２が破裂し始める。それにより、生産の効率を向上させることができる。
【００１７】
なお、前記第１接続面１１５１における２つの前記第１延伸部１１５に向かう側が波状面である。この波状面により、前記第１接続面１１５１が隆起して変形する時に、前記第１接続面１１５１にかかる力を均一にすることができる。
【００１８】
図５Ａ〜図６Ｃに示すように、実施例３では、３本の脚パイプ３を更に有し、かつ前記本体１１の外部の適切な箇所には、それぞれ縦方向に第２延伸部１１６及び第３延伸部１１７が設けられる。
【００１９】
前記第２延伸部１１６は、前記第１開口１１３３に近い位置に第２接続面１１６１を有し、前記第２接続面１１６１は、２つの前記第２延伸部１１６及び前記第１開口１１３３にそれぞれ接続される。前記第３延伸部１１７は、前記第１開口１１３３に近い位置に第３接続面１１７１を有し、前記第３接続面１１７１は、２つの前記第３延伸部１１７及び前記第１開口１１３３にそれぞれ接続される。前記第２延伸部１１６及び前記第３延伸部１１７には、それぞれ第２ファスナーセット１３及び第３ファスナーセット１４が設けられる。各前記脚パイプ３の一端は、それぞれ、前記第１ファスナーセット１２、第２ファスナーセット１３及び第３ファスナーセット１４によってピボット回転可能に２つの前記第１延伸部１１５の間、２つの第２延伸部１１６の間、及び２つの第３延伸部１１７の間に設けられる。
【００２０】
また、図６Ｃに示すように、前記物品２は、前記収容部１１３に挿入された中管２１である。図６Ａに示すように、前記第１ファスナーセット１２をロックすると、前記ノッチ１１４が小さくなり、２つの前記第１延伸部１１５が互いに接近し、かつ前記第１接続面１１５１が前記第１フィルム線１１５２に沿って破裂し、前記第１延伸部１１５によって前記第１接続面１１５１が押されて隆起することで、前記中管２１及び前記本体１１が互いに固定される。
【００２１】
図５Ａ及び図５Ｂに示すように、前記第１ファスナーセット１２を解放すると、前記第１接続面１１５１によって２つの前記第１延伸部１１５が押し開かれて互いに分離され、前記ノッチ１１４が大きくなり、前記第１接続面１１５１が平らに戻ることで、前記中管２１及び前記本体１１が互いに摺動可能となる。
【００２２】
図７Ａ〜図８に示すように、実施例４では、前記第１延伸部１１５には第４ファスナーセット１５が設けられ、前記収容部１１３は、隣接する上部１１３１と下部１１３２を有し、前記上部１１３１は、前記第１開口１１３３に接続され、前記下部１１３２は、前記第２開口１１３４に接続され、かつ前記上部１１３１の直径が前記下部１１３２の直径より小さい。前記物品２は、内管２２と外管２３とからなるものであり、前記内管２２の管径が前記外管２３の管径より小さい。前記外管２３を前記第２開口１１３４から前記下部１１３２に入れて、前記第４ファスナーセット１５をロック状態とすると、前記ノッチ１１４が小さくなり、前記本体１１及び前記外管２３が互いに固定される。
【００２３】
また、前記内管２２を前記第１開口１１３３から前記上部１１３１に挿入して前記外管２３内に収容し、前記第１ファスナーセット１２を解放状態とすると、前記内管２２及び前記外管２３が互いに摺動可能となり、かつ、前記第１ファスナーセット１２をロック状態とすると、前記内管２２及び前記本体１１が互いに固定される。
【００２４】
本考案は、上記の実施例の記載に限定されるものではなく、考案の要旨及び実用新案登録請求の範囲から逸脱しない範囲で種々の変更を加えて実施することができる。
【符号の説明】
【００２５】
１  パイプクランプ
１１  本体
１１１  第１端
１１２  第２端
１１３  収容部
１１３１  上部
１１３２  下部
１１３３  第１開口
１１３４  第２開口
１１４  ノッチ
１１４１  維持部
１１４２  第２フィルム線
１１５  第１延伸部
１１５１  第１接続面
１１５２  第１フィルム線
１１６  第２延伸部
１１６１  第２接続面
１１７  第３延伸部
１１７１  第３接続面
１２  第１ファスナーセット
１３  第２ファスナーセット
１４  第３ファスナーセット
１５  第４ファスナーセット
２  物品
２１  中管
２２  内管
２３  外管
３  脚パイプ
【図１Ａ】
0003230414.tif 000003
【図１Ｂ】
0003230414.tif 000004
【図２Ａ】
0003230414.tif 000005
【図２Ｂ】
0003230414.tif 000006
【図２Ｃ】
0003230414.tif 000007
【図３】
0003230414.tif 000008
【図４】
0003230414.tif 000009
【図５Ａ】
0003230414.tif 000010
【図５Ｂ】
0003230414.tif 000011
【図６Ａ】
0003230414.tif 000012
【図６Ｂ】
0003230414.tif 000013
【図６Ｃ】
0003230414.tif 000014
【図７Ａ】
0003230414.tif 000015
【図７Ｂ】
0003230414.tif 000016
【図８】
0003230414.tif 000017